(57)【要約】  乗客の暴れ動作を検知する機能を備えたエレベーター装置において、専用の端末等を要することなく、暴れ動作の有無を判定するための暴れ閾値を簡単な処理によって正確に設定する。  かご内に動体が存在しない所定のかご内状態でかご内の表示器にテスト画像を表示させ、カメラにかご内を撮影させる。また、その時の画像と上記かご内状態の時にカメラによって撮影された画像との輝度値の差分を検出し、輝度差が輝度差閾値を超える検出単位の数を計測部にカウントさせる。そして、上記制御によって計数部がカウントした検出単位の数に基づいて、暴れ判定部が暴れ動作の有無を判定するための暴れ閾値を適切に設定する。
2011104818.tif 000002
【特許請求の範囲】
【請求項１】
エレベーターのかご内を撮影するカメラと、
前記カメラによって撮影された画像を記録する画像記録部と、
前記画像記録部に記録されている一つの画像と所定の比較対照画像との輝度値の差分を、所定の検出単位毎に検出する輝度値差分検出部と、
前記輝度値差分検出部によって検出された輝度差が所定の輝度差閾値を超えているか否かを判定する輝度差判定部と、
輝度差が輝度差閾値を超えていると前記輝度差判定部によって判定された検出単位の数をカウントする計数部と、
前記計数部にカウントされた検出単位の数が所定の暴れ閾値を超えている場合に、乗客の暴れ動作有りを判定する暴れ判定部と、
を備えたエレベーター装置であって、
前記かごに設けられた表示器と、
前記かご内に動体が存在しない所定のかご内状態で前記表示器に所定のテスト画像を表示させて、前記カメラに前記かご内を撮影させるとともに、その時の画像と前記所定のかご内状態の時に前記カメラによって撮影された画像との輝度値の差分を前記輝度値差分検出部に検出させ、前記計数部に、輝度差が輝度差閾値を超える検出単位の数をカウントさせる調整動作制御部と、
前記調整動作制御部の前記制御によって前記計数部がカウントした検出単位の数に基づいて、前記暴れ判定部が暴れ動作の有無を判定するための暴れ閾値を設定する設定部と、
を備えたことを特徴とするエレベーター装置。
【請求項２】
前記設定部は、
前記計数部がカウントした検出単位の数に基づいて、前記かごに用いられているかご壁の材質を判定するかご壁判定部と、
前記かご壁判定部によって判定された前記かご壁の材質に基づいて、暴れ閾値を設定する閾値設定部と、
を備えたことを特徴とする請求項１に記載のエレベーター装置。
【請求項３】
前記かご壁判定部は、前記計数部がカウントした検出単位の数に基づいて、前記かご壁の材質に加え、前記かご壁の色の濃淡も判定し、
前記閾値設定部は、前記かご壁判定部によって判定された前記かご壁の材質と色の濃淡とに基づいて、暴れ閾値を設定する
ことを特徴とする請求項２に記載のエレベーター装置。
【発明の詳細な説明】
【技術分野】
【０００１】
この発明は、乗客の暴れ動作を検知する機能を備えたエレベーター装置に関するものである。
【背景技術】
【０００２】
エレベーター装置の従来技術として、かご内にいる乗客の暴れ動作を検知する機能を備えたものが提案されている（例えば、特許文献１及び２参照）。
特許文献１及び２に記載のものでは、かご内に設置されたカメラからの画像を解析することにより、乗客の動きの向きや大きさのばらつき量を算出し、算出したばらつき量が所定の閾値を超えた場合に、乗客の暴れ動作を検知している。【０００３】
上記機能を備えたエレベーター装置においては、カメラによって撮影されたかご内画像に基づいて、暴れ動作の有無を判定している。このため、暴れ動作の有無を判定するための上記閾値は、かご内の状態に応じてエレベーター毎に適切に設定する必要がある。【０００４】
このような事情に鑑み、特許文献１に記載のものでは、エレベーターの専門技術者が携帯する保守端末から、上記閾値の補正を行うことできるように構成している。
また、特許文献２に記載のものでは、戸開閉状態やかご壁の種類毎に、ばらつき量の平均値と分散値とがデータベース化されており、暴れ検知装置に、上記データベースに基づいて閾値の補正を行う手段が備えられている。
【先行技術文献】
【特許文献】
【０００５】
【特許文献１】日本特開２００７−３１０１８号公報
【特許文献２】日本特許第４３２１４７１号公報
【発明の概要】
【発明が解決しようとする課題】
【０００６】
図５はかご内画像の一例を示す図である。エレベーターのかご１がステンレス製のかご壁１ａで構成されている場合、乗客の像１７ａ及び１７ｂは、かご壁１ａが樹脂製で構成されている時よりもかご壁１ａに映り込み易くなる。このため、かご壁１ａがステンレス製である場合は、乗客がかご１内で同じ動きをしても、かご壁１ａが樹脂製である場合よりも乗客の動きが大きく検知されてしまう。【０００７】
特許文献１及び２に記載のものでは、暴れ動作の検知のために、乗客の動きの向きや大きさのばらつき量を算出している。このため、上記閾値の補正を行う際にも所定の学習行為（例えば、戸開閉動作等を行って動体に関する上記ばらつき量を算出する等の行為）を行わなければならず、多大な手間と処理負荷とが要求されるといった問題があった。【０００８】
なお、特許文献１に記載のものでは、上記閾値の設定に際し、更に、携帯用の保守端末とこの保守端末を操作するエレベーターの専門技術者とが必要になってしまう。このため、作業効率が悪く、また、システムとして高価になるといった問題もあった。【０００９】
この発明は、上述のような課題を解決するためになされたもので、その目的は、乗客の暴れ動作を検知する機能を備えたエレベーター装置において、専用の端末等を要することなく、暴れ動作の有無を判定するための暴れ閾値を簡単な処理によって正確に設定することができるエレベーター装置を提供することである。
【課題を解決するための手段】
【００１０】
この発明に係るエレベーター装置は、エレベーターのかご内を撮影するカメラと、カメラによって撮影された画像を記録する画像記録部と、画像記録部に記録されている一つの画像と所定の比較対照画像との輝度値の差分を、所定の検出単位毎に検出する輝度値差分検出部と、輝度値差分検出部によって検出された輝度差が所定の輝度差閾値を超えているか否かを判定する輝度差判定部と、輝度差が輝度差閾値を超えていると輝度差判定部によって判定された検出単位の数をカウントする計数部と、計数部にカウントされた検出単位の数が所定の暴れ閾値を超えている場合に、乗客の暴れ動作有りを判定する暴れ判定部と、を備えたエレベーター装置であって、かごに設けられた表示器と、かご内に動体が存在しない所定のかご内状態で表示器に所定のテスト画像を表示させて、カメラにかご内を撮影させるとともに、その時の画像と所定のかご内状態の時にカメラによって撮影された画像との輝度値の差分を輝度値差分検出部に検出させ、計数部に、輝度差が輝度差閾値を超える検出単位の数をカウントさせる調整動作制御部と、調整動作制御部の制御によって計数部がカウントした検出単位の数に基づいて、暴れ判定部が暴れ動作の有無を判定するための暴れ閾値を設定する設定部と、を備えたものである。
【発明の効果】
【００１１】
この発明によれば、乗客の暴れ動作を検知する機能を備えたエレベーター装置において、専用の機器や端末等を要することなく、暴れ動作の有無を判定するための暴れ閾値を簡単な処理によって正確に設定することができるようになる。
【図面の簡単な説明】
【００１２】
【図１】この発明の実施の形態１におけるエレベーター装置を示す構成図である。
【図２】図１の暴れ検知装置の具体的構成を示す図である。
【図３】この発明の実施の形態１におけるエレベーター装置の動作を示すフローチャートである。
【図４】暴れ閾値の設定時に撮影された画像を示す図である。
【図５】かご内画像の一例を示す図である。
【発明を実施するための形態】
【００１３】
この発明をより詳細に説明するため、添付の図面に従ってこれを説明する。なお、各図中、同一又は相当する部分には同一の符号を付しており、その重複説明は適宜に簡略化ないし省略する。
【００１４】
実施の形態１．
図１はこの発明の実施の形態１におけるエレベーター装置を示す構成図、図２は図１の暴れ検知装置の具体的構成を示す図である。本エレベーター装置には、エレベーターの乗客の暴れ動作を検知する機能が備えられている。
図１において、１はエレベーター昇降路内を昇降するかご、２はかご１内の乗客の暴れ動作を検知するための暴れ検知装置、３はかご１の走行制御等、エレベーター全体の運行制御を司る制御盤である。
【００１５】
エレベーターのかご１には、表示器４、カメラ５が設置されている。
表示器４は、かご１内の乗客に所定の情報を報知するために備えられたものである。表示器４は、例えば、液晶ディスプレイ等によって構成され、制御盤３からの制御信号によってその表示が制御される。
【００１６】
カメラ５は、監視用としてかご１に備えられたものであり、かご１内の所定の範囲を撮影することができるように、その撮影方向や角度等が予め設定されている。カメラ５は、例えば、エレベーターのドアを撮影することがないように、かご１の出入口側から奥側に向けてその視野が設定されている。なお、カメラ５が撮影した画像には、表示器４の表示画像と、表示器４の表示画像がかご１のかご壁１ａに映りこんだ像（以下、「反射画像４ａ」ともいう）との双方或いは一方が含まれていても良い。
【００１７】
暴れ検知装置２は、カメラ５が撮影した画像に基づいて、かご１内の動体の暴れ度合いを解析して所定の暴れ動作を検知する機能を有している。暴れ検知装置２は、図２に詳細が示されているように、画像記録部６、輝度値差分検出部７、輝度差判定部８、計数部９、暴れ判定部１０、出力部１１、記憶部１２、設定動作制御部１３、設定部１４により、その要部が構成されている。
画像記録部６は、カメラ５によって撮影された画像を記録するためのものである。即ち、カメラ５によって撮影された画像は、通信線等を介して暴れ検知装置２に送信され、画像記録部６に順次記録されていく。
【００１８】
輝度値差分検出部７は、画像記録部６に記録されている一つの画像と所定の比較対照画像との輝度値の差分を、所定の検出単位毎に検出する機能を有している。例えば、輝度値差分検出部７は、画像記録部６に記録されている現在時刻ｔ２（最新の）画像と、画像記録部６に記録されている過去の所定時刻ｔ１の画像との輝度値の差分を画素毎に演算する。
【００１９】
なお、比較対照画像として採用する過去の画像は、時刻ｔ２の直前に撮影された画像であっても良いし、途中の画像を間引いた所定枚数前の画像であっても良い。また、比較対照画像として過去の複数の時刻（ｔ１、ｔ１´‥‥）に撮影された画像を採用することにより、輝度値差分検出部７によって、時刻ｔ２の画像と各過去の画像との輝度値の差分の平均値を求めても良い。更に、現在時刻ｔ２に近い時刻ほど重みが大きくなるような重み付けを行ってから、上記平均値の算出を行っても良い。
【００２０】
以下においては、輝度値差分検出部７が、輝度値の差分を画素毎に検出する場合について具体的な説明を行う。しかし、上記検出単位は画素に限定されるものではなく、例えば、画像を予め所定の大きさに分割した各ブロックを検出単位として設定しても良い。かかる場合、輝度値差分検出部７は、分割されたブロック毎に輝度値の差分を検出する。
【００２１】
輝度差判定部８は、輝度値差分検出部７によって検出された輝度差が所定の輝度差閾値を超えているか否かを判定する機能を有している。輝度差判定部８は、輝度値差分検出部７が検出した輝度差毎、即ち、本実施の形態においては画素毎に上記判定を行う。なお、上記判定において用いられる輝度差閾値は、記憶部１２に予め記憶されている。
【００２２】
計数部９は、暴れ動作の検知対象となっている画像（例えば、時刻ｔ２の画像）について、輝度差が輝度差閾値を超えていると輝度差判定部８によって判定された画素数（検出単位の数）をカウントする機能を有している。
【００２３】
暴れ判定部１０は、計数部９によってカウントされた画素数が、所定の暴れ閾値を超えているか否かを判定する機能を有している。暴れ判定部１０は、計数部９によってカウントされた画素数が上記暴れ閾値を超えている場合に、乗客の暴れ動作有りを判定する。また、暴れ判定部１０は、計数部９によってカウントされた画素数が上記暴れ閾値を超えていない場合に、暴れ動作無しを判定する。
なお、暴れ判定部１０の判定結果は、出力部１１から制御盤３に対して出力される。また、上記判定において用いられる暴れ閾値は、記憶部１２に予め記憶されている。
【００２４】
設定動作制御部１３は、上記暴れ閾値の設定時の動作を制御する機能を有している。この設定動作制御部１３の機能については後述する。
【００２５】
設定部１４は、所定の条件下において計数部９がカウントした画素数（上記検出単位の数）に基づいて、上記暴れ閾値を適切に設定する機能を有している。具体的に、設定部１４は、設定動作制御部１３の制御によって暴れ閾値の設定動作が開始されると、計数部９によってカウントされた画素数に基づいて適切な暴れ閾値を決定し、記憶部１２の記憶内容を更新させる。このような機能を実現するため、設定部１４には、かご壁判定部１５と閾値設定部１６とが備えられている。
【００２６】
以下に、図３及び図４も参照し、暴れ閾値を設定する際の動作、即ち、設定動作制御部１３及び設定部１４の各機能について具体的に説明する。図３はこの発明の実施の形態１におけるエレベーター装置の動作を示すフローチャート、図４は暴れ閾値の設定時に撮影された画像を示す図である。
【００２７】
エレベーターが使用されない夜間等、暴れ閾値を設定する予定時刻になると、設定動作制御部１３は所定の動作指令を出力する。制御盤３は、設定動作制御部１３から動作指令を受信すると、かご１内に動体が存在せず、且つ、かご１内が消灯している所定の状態で、表示器４に所定のテスト画像を表示させ（Ｓ１０１）、カメラ５にかご１内を撮影させる（Ｓ１０２）。
【００２８】
図４はＳ１０２においてカメラ５が撮影した画像の一例を示したものである。かご１にステンレス製のかご壁１ａが採用されている場合、表示器４の像は、かご壁１ａに映り込み易い。このため、Ｓ１０２においてカメラ５が撮影した画像には、表示器４に表示されたテスト画像の他、かご壁１ａに映し出された反射画像４ａも含まれている場合がある。
【００２９】
一方、暴れ検知装置２では、設定動作制御部１３から動作指令が出力されることにより、輝度値差分検出部７が、Ｓ１０２において撮影された画像と、かご１が上記所定の状態の時にカメラ５によって撮影された画像（以下、「設定用の比較対照画像」ともいう）との輝度値の差分を検出する。その後、輝度差判定部８によって輝度差閾値との比較が画素毎に行われ（Ｓ１０３）、更に、計数部９により、Ｓ１０２において撮影された画像について、輝度差が輝度差閾値を超えた画素数がカウントされる（Ｓ１０４）。
なお、この時の輝度値差分検出部７、輝度差判定部８、計数部９の各機能自体は、上述の暴れ判定時と同じである。
【００３０】
上記設定用の比較対照画像は、例えば、かご１が上記所定の状態（即ち、かご１内に動体が存在せず、且つ、かご１内が消灯している状態）の時にカメラ５によってかご１内を撮影することによって取得される。この設定用の比較対照画像は、予め画像記録部６に記録しておいたものであっても良いし、設定動作制御部１３から動作指令が出力された後に画像記録部６に記録したものであっても良い。また、設定用の比較対照画像として上記所定の状態で撮影された複数枚の画像を採用することにより、輝度値差分検出部７によって、Ｓ１０２において撮影された画像と上記複数枚の画像との輝度値の差分の平均値を求めても良い。更に、上記平均値を算出する際に、所定の重み付けを行っても良い。
【００３１】
そして、設定部１４は、Ｓ１０４においてカウントされた画素数に基づいて、暴れ動作の有無を判定するための画素数閾値（即ち、暴れ閾値）の設定を行う（Ｓ１０５）。
【００３２】
上記かご壁判定部１５は、計数部９によってカウントされた画素数に基づいて、かご１に用いられているかご壁１ａの材質を判定する機能を有している。表示器４の像がかご壁１ａに映り込み易い素材であればある程、Ｓ１０４においてカウントされる画素数は増大する。このような考えに基づき、かご壁判定部１５は、Ｓ１０４においてカウントされた画素数からかご壁１の材質を導き出す。
【００３３】
また、閾値設定部１６は、かご壁判定部１５が判定したかご壁１ａの材質に基づいて、最適な暴れ閾値を設定する機能を有している。閾値設定部１６は、かご壁１ａの材質に基づいて暴れ閾値を決定すると、記憶部１２に記憶されている暴れ閾値をこの新たに決定した値に更新する。
【００３４】
下記表１は、Ｓ１０４において計測部９がカウントする画素数と、かご壁１ａの材質と、暴れ閾値との関連を予め設定した対応テーブルである（ＶＧＡ、６４０×４８０画素を想定）。このような所定の対応テーブルが、設定部１４（或いは、記憶部１２）に保持されている。かご壁判定部１５は、計測部９がカウントした画素数に基づき、上記対応テーブルを参照してかご壁１ａの材質を特定する。また、閾値設定部１６は、かご壁判定部１５が特定したかご壁１ａに基づき、上記対応テーブルを参照して最適な暴れ閾値を選択する。
【００３５】
【表１】
2011104818.tif 000003
【００３６】
なお、上記表１は、かご壁判定部１５が、計測部９のカウント結果に基づき、かご壁１ａの材質に加えて、かご壁１ａの色の濃淡も判定する場合を示している。例えば、かご壁１ａが樹脂製の場合、かご壁１ａの色が暗い時よりも明るい時の方が、表示器４の像がかご壁１ａに映り込み易い。かご壁判定部１５がこのような機能を有する場合、閾値設定部１６は、かご壁判定部１５が判定したかご壁１ａの材質と色の濃淡との双方に基づいて、かご壁１ａに合った最適な暴れ閾値を設定する。
【００３７】
この発明の実施の形態１によれば、専用の端末等を要することなく、暴れ動作の有無を判定するための暴れ閾値を、簡単な処理によって正確に設定することができる。
【００３８】
即ち、上記構成であれば、表示器４に表示したテスト画像の映り込み具合からかご壁１ａを特定して最適な暴れ閾値を設定することができるため、暴れ閾値の設定に際し、専門技術者が携帯する保守端末や専用の端末等を用意する必要がない。また、本構成のエレベーター装置では、動体に関するばらつき量を算出する処理が必要ないため、システムの処理負荷を増大させることなく上記設定作業を行うことができる。
【００３９】
なお、本実施の形態においては、夜間等、エレベーターが利用できない時に暴れ閾値の設定動作を行う場合について説明した。しかし、エレベーターが休止している時間等を利用すれば、エレベーターの利用が可能な通常の時間帯であっても、上記設定動作を行うことは可能である。この場合、例えば、暴れ閾値の設定動作中に運行指令や戸開閉指令が発生すると、上記設定作業を中止し、その後、エレベーターが休止状態に移行した時に改めて暴れ閾値の設定動作を再開すれば良い。
また、上記構成のエレベーター装置において、設定動作制御部１３の一部機能は、制御盤３に備えられていても構わない。
【産業上の利用可能性】
【００４０】
この発明に係るエレベーター装置は、エレベーターの乗客の暴れ動作を検知する機能を備えたものに適用することができる。
【符号の説明】
【００４１】
１  かご
１ａ  かご壁
２  暴れ検知装置
３  制御盤
４  表示器
４ａ  反射画像
５  カメラ
６  画像記録部
７  輝度値差分検出部
８  輝度差判定部
９  計数部
１０  暴れ判定部
１１  出力部
１２  記憶部
１３  設定動作制御部
１４  設定部
１５  かご壁判定部
１６  閾値設定部
１７ａ、１７ｂ  乗客の像
【図１】
2011104818.tif 000004
【図２】
2011104818.tif 000005
【図３】
2011104818.tif 000006
【図４】
2011104818.tif 000007
【図５】
2011104818.tif 000008
【国際調査報告】
2011104818.tif 000009
2011104818.tif 000010
2011104818.tif 000011